(57)【要約】【課題】Ｘ線照射中は遮蔽扉が開かないようにロックする信頼性の高い電動式ロック機構を備えたＸ線分析装置を供給する。【解決手段】ソレノイド１４を保持する支持部１２は板バネ３１を介して筐体３に保持されており、突出した心棒１５はラッチ板１１で押され移動し、ストッパ１３に当たり停止する。したがって、電動式ロック機構を構成するソレノイド１４の心棒１５に加わる力は板バネ３１が有するバネ力であり、突出したソレノイド１４の心棒１５にその耐荷重を超えた押しボタン１６による操作力が繰り返し加えられることはなく、信頼性の高い電動式ロック機構を備えたＸ線分析装置を供給できる。【選択図】          図１
2010266471.tif 000002
【特許請求の範囲】
【請求項１】
試料にＸ線を照射するＸ線管と、試料から出射されるＸ線を検出する検出器と、試料の交換にともない開閉される遮蔽扉を備えたＸ線分析装置において、遮蔽扉の閉時遮蔽扉をラッチするラッチ板と、このラッチ板をロックする電動式ロック機構と、この電動式ロック機構が支持される支持体を備え、支持体が遮蔽扉の開操作力を受けて移動することを特徴とするＸ線分析装置。
【請求項２】
電動式ロック機構を支持する支持体が弾性体の部材を介して筐体に固定されていることを特徴とする請求項１記載のＸ線分析装置。
【発明の詳細な説明】
【技術分野】
【０００１】
本発明は、Ｘ線分析装置に関し、特にはＸ線被爆防護の信頼性向上を図ったＸ線分析装置に関する。
【背景技術】
【０００２】
Ｘ線分析装置では、操作者が分析試料を透過するＸ線などにより被爆する危険を排除するために、分析試料が載置される試料室にＸ線を遮蔽する材料で構成された遮蔽扉が設けられる。しかし、Ｘ線照射中に遮蔽扉を開いてしまうと装置の操作者はＸ線に被爆することになるため、各種安全対策が施されている。
【０００３】
安全対策として、例えばＸ線照射中は電動式ロック機構（ソレノイド）を作動させて、遮蔽扉が開けられないように遮蔽扉をロックする手段が使用される。この場合、ソレノイドの心棒を突出させることにより、遮蔽扉を開けるための操作部（例えば操作レバー）の動きを阻止するように構成されているため遮蔽扉はロックされ開けることはできない。Ｘ線を照射していないときは、ソレノイドの心棒の突出はなく、遮蔽扉を開けるための操作部の動きを阻止しないので、遮蔽扉を開けることができる。
【０００４】
上記の電動式ロック機構の場合、突出したソレノイドの心棒にその耐荷重を超えた操作力が繰り返し加えられる可能性があり、ソレノイドのケースと心棒との摺動部が損傷して心棒が作動しなくなり、遮蔽扉が開かなくなるかロックできなくなる恐れがある。
【先行技術文献】
【特許文献】
【０００５】
Ｘ線分析装置に関する先行技術文献情報を調査したが発見されなかった。
【発明の概要】
【発明が解決しようとする課題】
【０００６】
Ｘ線照射中は遮蔽扉が開かないようにロックする信頼性の高い電動式ロック機構を備えたＸ線分析装置を供給する。
【課題を解決するための手段】
【０００７】
試料にＸ線を照射するＸ線管と、試料から出射されるＸ線を検出する検出器と、試料の交換にともない開閉される遮蔽扉を備えたＸ線分析装置において、遮蔽扉の閉時遮蔽扉をラッチするラッチ板と、このラッチ板をロックする電動式ロック機構と、この電動式ロック機構が支持される支持体を備え、支持体が遮蔽扉の開操作力を受けて移動するように構成する。電動式ロック機構を支持する支持体は、例えば、弾性体の部材を介して筐体に固定される。したがって、電動式ロック機構に加わる力は弾性体の有するバネ力程度にすることができる。
【発明の効果】
【０００８】
電動式ロック機構（ソレノイド）に加わる力は弾性体の有するバネ力程度にすることができるため、突出したソレノイドの心棒にその耐荷重を超えた操作力が繰り返し加えられることはなく、信頼性の高い電動式ロック機構を備えたＸ線分析装置を供給できる。
【図面の簡単な説明】
【０００９】
【図１】本発明の実施例によるＸ線分析装置の概略構成図である。
【図２】本発明の実施例による遮蔽扉ロック機構の動作を説明する図である。
【発明を実施するための形態】
【００１０】
遮蔽扉の下部に配設された突起部は、遮蔽扉が閉じたとき、ラッチ板によりラッチされ遮蔽扉は閉じた状態を維持させられる。Ｘ線を照射していないとき、遮蔽扉を開く場合は、押しボタンを操作してラッチ押し板を介して突起部のラッチが外れるまでラッチ板を押してから、遮蔽扉を引き上げる。
【００１１】
Ｘ線照射中は、突起部をラッチしているラッチ板の直近に配置されたソレノイドの心棒が突出する。押しボタンを押しラッチ押し板を介してラッチ板を移動させると心棒に当接する。さらに押しボタンを押すと板バネを介して筐体に固定された支持部に支持されたソレノイドの心棒は、ストッパに当接するまで移動しラッチ板とともに停止する。この位置では突起部のラッチ板によるラッチは維持され遮蔽扉はロックされている。
【実施例】
【００１２】
本発明の実施例について図１、図２を参照して説明する。図１は、本発明の実施例によるＸ線分析装置の概略構成図である。図２は、本発明の実施例による遮蔽扉ロック機構の動作を説明する図である。
【００１３】
本発明のＸ線分析装置は、図１に示すように、一端が図示しない蝶番を介して筐体３に保持された遮蔽扉２と、遮蔽扉２に支持され下方に突起し遮蔽扉２の閉時その下端がラッチ板１１によりラッチされる突起部２１と、水平に保持され一端がラッチ板１１に接し他端が押しボタン１６に支持されるラッチ押し板１７と、支持部１２と、支持部１２に支持されるソレノイド１４と、ソレノイド１４により作動する心棒１５と、心棒１５に対向配置されるラッチ板１１とストッパ１３より構成される遮蔽扉ロック機構１を備えている。ソレノイド１４と心棒１５は電動式ロック機構を構成する。
【００１４】
押しボタン１６とラッチ押し板１７は鉛直方向に取り付けられる板バネ３３を介して筐体３に固定され、支持部１２は鉛直方向に取り付けられる板バネ３１を介して筐体３に保持される。また、ラッチ板１１は鉛直方向に取り付けられる板バネ３２を介して筐体３に保持され、ストッパ１３は筐体３に保持される。
【００１５】
本発明の実施例による遮蔽扉ロック機構１の動作は、図２に示すように、Ｘ線照射中は、ソレノイド１４の心棒１５が突出し、押しボタン１６を押しラッチ押し板１７を介してラッチ板１１を移動させるとラッチ板１１は心棒１５に当接する。さらに押しボタン１６を押すと板バネ３１を介して筐体３に固定された支持部１２に支持されたソレノイド１４の心棒１５は、ストッパ１３に当接するまで移動しラッチ板１１とともに停止する。この位置では突起部２１のラッチ板１１によるラッチは維持され遮蔽扉２はロックされている。
【００１６】
Ｘ線を照射していないとき、遮蔽扉２を開く場合は、心棒１５が突出していないため、押しボタン１６を操作してラッチ押し板１７を介して突起部２１のラッチが外れるまでラッチ板１１を押し込むことができ、遮蔽扉２を引き上げることができる。
【００１７】
本発明は以上の構成であるから、電動式ロック機構を構成するソレノイド１４の心棒１５に加わる力は板バネ３１が有するバネ力程度にすることができるため、突出したソレノイド１４の心棒１５にその耐荷重を超えた操作力が繰り返し加えられることはなく、信頼性の高い電動式ロック機構を備えたＸ線分析装置を供給できる。
【００１８】
図１に示す実施例では、ラッチ板１１は板バネ３２を介して筐体３に保持されているが、板バネ３２ではなく回転軸を介して筐体３に保持され、一端が筐体３に保持されたコイルバネを用いて引っ張り、ラッチ押し板１７の一端に接するように構成されていてもよく本発明は図示例に限定されない。
【００１９】
また、支持部１２は板バネ３１を介して筐体３に保持されているが、板バネ３１ではなく回転軸を介して筐体３に保持され、２個の一端が筐体３に保持されたコイルバネを用いて両側から引っ張り、心棒１５がラッチ板１１とストッパ１３の間に配置されるように構成されていても本発明は適用可能である。このように、装置は種々の構成とすることができ、本発明はこれら変形例を包含する。
【産業上の利用可能性】
【００２０】
本発明は、Ｘ線分析装置に関し、特にはＸ線被爆防護の信頼性向上を図ったＸ線分析装置に関する。
【符号の説明】
【００２１】
１  遮蔽扉ロック機構
２  遮蔽扉
３  筐体
１１  ラッチ板
１２  支持部
１３  ストッパ
１４  ソレノイド
１５  心棒
１６  押しボタン
１７  ラッチ押し板
２１  突起部
３１  板バネ
３２  板バネ
３３  板バネ
【図１】
2010266471.tif 000003
【図２】
2010266471.tif 000004